(57)【要約】【課題】パッキンにケーブルをセットする作業の効率を向上しつつ、防水構造を小型化する。【解決手段】筐体（１・２）の内から外へ貫通するケーブル引き出し部の防水構造であって、筐体（１・２）を貫通して形成され、複数本のケーブル４を挿通するための挿通孔１４（２４）と、複数本のケーブル４を等間隔に固定する固定部６と、固定部６を覆うように成型され、挿通孔１４（２４）に圧入されるパッキン５と、からなる。固定部６は、ケーブル４を固定する位置が１本ごと交互に入れ替わる配置となっている。【選択図】図３
2010114126.tif 000002
【特許請求の範囲】
【請求項１】
筐体の内から外へ貫通するケーブル引き出し部の防水構造であって、
筐体を貫通して形成され、複数本のケーブルを挿通するための挿通孔と、
前記複数本のケーブルを等間隔に固定する固定部と、
前記固定部を覆うように成型され、前記挿通孔に圧入されるパッキンと、からなることを特徴とする防水構造。
【請求項２】
前記固定部は、前記ケーブルを固定する位置が１本ごと交互に入れ替わる配置となっていることを特徴とする請求項１に記載の防水構造。
【請求項３】
前記固定部は、互いに嵌合する対をなす２つの金具からなることを特徴とする請求項１に記載の防水構造。
【請求項４】
前記挿通孔は、前記筐体の内側が狭くなっていることを特徴とする請求項１に記載の防水構造。
【請求項５】
第一の筐体と第二の筐体がヒンジ部を介して折り畳み可能に連結された端末装置であって、
前記第一の筐体と前記ヒンジ部の間の前記ケーブル引き出し部、及び前記第二の筐体と前記ヒンジ部の間の前記ケーブル引き出し部に、請求項１から４のいずれか一項に記載の防水構造を備えることを特徴とする端末装置。
【請求項６】
前記第一の筐体及び前記第二の筐体は、各々合体される対をなす２つのケースからなり、
前記対をなす２つのケースの周縁部間に防水のために配される環状のパッキンと、請求項１に記載の前記パッキンを一体化したことを特徴とする請求項５に記載の端末装置。
【発明の詳細な説明】
【技術分野】
【０００１】
本発明は、筐体の内から外へ貫通するケーブル引き出し部の防水構造と、その防水構造を備える端末装置に関する。
【背景技術】
【０００２】
防水構造を備える折り畳み型の端末装置において、浸水可能なヒンジ部と筐体間の防水用のパッキンに穴を設け、その穴にケーブルを通すようにしている（例えば特許文献１参照）。このようなケーブルを通す穴を有するパッキンの製造方法はケーブルとパッキンを一体成型するか、穴を開けたパッキンを製造し、後から穴にケーブルを通すようにする。
【特許文献１】特開２００４−４７９６８号公報
【発明の開示】
【発明が解決しようとする課題】
【０００３】
ところで、折り畳み型の携帯端末は、使用しないときには折り畳むことで小型化できるという長所を持つ反面、ヒンジ部を有するため、防水に対応するためには大型化したり構造が複雑になったりするという問題がある。
その対応策として、特許文献１のように、浸水可能なヒンジ部と筐体間の防水用のパッキンに穴を設け、その穴にケーブルを通すことで、パッキンにより防水を図っている。
【０００４】
しかしながら、ケーブルを通す穴を有するパッキンの製造方法として、例えばケーブルとパッキンを一体成型する方法をとる場合は、ケーブルを等間隔に揃えるのが難しく、また、先に穴を開けたパッキンを製造し、後から穴にケーブルを通す方法をとる場合では、防水のために穴はケーブル径より細く開けられるため、ケーブルに穴を通す工程が難しいという問題がある。
【０００５】
本発明の課題は、パッキンにケーブルをセットする作業の効率を向上しつつ、防水構造を小型化することである。
【課題を解決するための手段】
【０００６】
以上の課題を解決するため、請求項１に記載の発明は、筐体の内から外へ貫通するケーブル引き出し部の防水構造であって、筐体を貫通して形成され、複数本のケーブルを挿通するための挿通孔と、前記複数本のケーブルを等間隔に固定する固定部と、前記固定部を覆うように成型され、前記挿通孔に圧入されるパッキンと、からなることを特徴とする。
【０００７】
請求項２に記載の発明は、請求項１に記載の防水構造であって、前記固定部は、前記ケーブルを固定する位置が１本ごと交互に入れ替わる配置となっていることを特徴とする。
【０００８】
請求項３に記載の発明は、請求項１に記載の防水構造であって、前記固定部は、互いに嵌合する対をなす２つの金具からなることを特徴とする。
【０００９】
請求項４に記載の発明は、請求項１に記載の防水構造であって、前記挿通孔は、前記筐体の内側が狭くなっていることを特徴とする。
【００１０】
請求項５に記載の発明は、第一の筐体と第二の筐体がヒンジ部を介して折り畳み可能に連結された端末装置であって、前記第一の筐体と前記ヒンジ部の間の前記ケーブル引き出し部、及び前記第二の筐体と前記ヒンジ部の間の前記ケーブル引き出し部に、請求項１から４のいずれか一項に記載の防水構造を備えることを特徴とする。
【００１１】
請求項６に記載の発明は、請求項５に記載の端末装置であって、前記第一の筐体及び前記第二の筐体は、各々合体される対をなす２つのケースからなり、前記対をなす２つのケースの周縁部間に防水のために配される環状のパッキンと、請求項１に記載の前記パッキンを一体化したことを特徴とする。
【発明の効果】
【００１２】
本発明によれば、パッキンにケーブルをセットする作業の効率が向上するとともに、防水構造の小型化が図れる。
【発明を実施するための最良の形態】
【００１３】
以下、図を参照して本発明を実施するための最良の形態を詳細に説明する。
（実施形態１）
図１は本発明を適用した端末装置の一実施形態の構成として折り畳み可能な携帯電話を開いた状態を示したもので、図２はその筐体内部等のケーブル配線を示したものであり、１は第一の筐体、２は第二の筐体、３はヒンジ部、４はケーブル、５はパッキンである。
【００１４】
図示のように、第一の筐体１と第二の筐体２はヒンジ部３を介して折り畳み可能（開閉可能）に結合され、第一の筐体１に図略のキー入力部が設けられて、第二の筐体２に図略の表示部が設けられている。第一の筐体１は、対をなす下ケース１１及び上ケース１２を図略した環状のパッキンを介し防水して合体され、第二の筐体２も、対をなす下ケース２１及び上ケース２２を図略した環状のパッキンを介し防水して合体されている。なお、図２において、１３は第一の筐体１の下ケース１１に設けたパッキン溝、２３は第二の筐体２の下ケース２１に設けたパッキン溝である。
【００１５】
図示例において、ヒンジ部３は、２軸ヒンジユニット３０で構成されている。すなわち、２軸ヒンジユニット３０は、第一の筐体１と第二の筐体２を折り畳み可能に結合するヒンジ軸３１と、このヒンジ軸３１と軸線を直交して配置され、第一の筐体１に対し第二の筐体２を回転自在に結合する回転支軸３２とを備えている。ヒンジ軸３１は、ブラケット３３で第一の筐体１の下ケース１１にパッキン溝１３の外側で固定され、回転支軸３２は、ブラケット３３と一体化されていて、別のブラケット３４で第二の筐体２の下ケース２１にパッキン溝２３の固定されている。
【００１６】
そして、第一の筐体１の内部と第二の筐体２との内部とにわたり２軸ヒンジユニット３０の内部を通してケーブル４が配設されている。すなわち、図示のように、１０本のケーブル４が、第一の筐体１の下ケース１１に貫通して形成した横長の挿通孔１４と、第二の筐体２の下ケース２１に貫通して形成した横長の挿通孔２４を挿通するとともに、２軸ヒンジユニット３０の回転支軸３２の中空部内及びブラケット３３の一端部内を各々挿通して配設されている。なお、ケーブル４の第一の筐体１の下ケース１１内の一端部にはコネクタ４１が備えられ、ケーブル４の第二の筐体２の下ケース２１内の他端部にはコネクタ４２が備えられている。
【００１７】
１０本のケーブル４は、第一の筐体１の下ケース１１の挿通孔１４と、第二の筐体２の下ケース２１の挿通孔２４とにおいて、パッキン５を各々介して引き出されている。
【００１８】
図３は図１の第一の筐体１のケーブル４の引き出し部で破断して拡大したもので、図４はそのケーブル４の引き出し部をさらに拡大して示しており、６は固定部であるインサート金具、７は環状のパッキンである。すなわち、パッキン５には、１０本のケーブル４の固定部であるインサート金具６がインサート成型されている。なお、パッキン溝１３には環状のパッキン７がセットされている。
【００１９】
挿通孔１４は、図３及び図４に示したように、第一の筐体１の内側の上下間隔が狭くなっている。
【００２０】
パッキン５は、図５にも示すように、外周に２本のシールリップ５１が形成されている。
【００２１】
インサート金具６は、図６に示すように、横に細長い板状部に１０本のケーブル４を等間隔で１本ずつカシメ付けにより各々保持するケーブル保持部６１を一体に備えたもので、そのケーブル保持部６１が１本ごと前後方向に交互に入れ替わる配置となっている。
【００２２】
このように１０本のケーブル４をケーブル保持部６１にそれぞれ保持して並べたインサート金具６を、図示しない成型金型にセットしてラバーを注入充填することでパッキン５を成型する。
【００２３】
以上の１０本のケーブル４のパッキン５を、第一の筐体１の下ケース１１の挿通孔１４に対し外側から圧入する。
【００２４】
なお、第二の筐体２の下ケース２１の挿通孔２４も同様に、第二の筐体２の内側の上下間隔が狭くなっており、その挿通孔２４にも同様に、１０本のケーブル４のパッキン５が圧入されている。
【００２５】
以上、実施形態の携帯電話によれば、第一の筐体１及び第二の筐体２を貫通する１０本のケーブル４を挿通する挿通孔１４・２４と、１０本のケーブル４を等間隔に固定するインサート金具６と、そのインサート金具６をインサート成型した、挿通孔１４・２４に圧入されるパッキン５と、からなる防水構造にしたことで、パッキンにケーブル４を１本ずつセットすることが不要になり、従って、パッキンにケーブルをセットする作業の効率が向上するとともに、防水構造の小型化が図れる。
【００２６】
そして、インサート金具６のケーブル保持部６１により、ケーブル４を固定する位置を１本ごと交互に入れ替えるようにしたことで、ケーブル４の間隔を狭くすることができ、従って、より小型化できる。
【００２７】
さらに、挿通孔１４・２４は筐体１・２の内側の上下間隔が狭くなっているので、筐体１・２の外側からパッキン５をそれぞれ圧入する際に、挿通孔１４・２４内でパッキン５を容易に止めることができる。
【００２８】
また、第一の筐体１とヒンジ部３の間及び、第二の筐体２とヒンジ部３の間において、それぞれパッキン５を介してケーブル４を引き出す防水構造にしたことで、非防水の携帯電話と構造差異の少ない携帯電話を製造することができる。
【００２９】
（実施形態２）
図７は図５のパッキン５部の内部構造として実施形態２を示したもので、８は固定部であるインサート金具であり、図８はそのインサート金具８を分解して示したものである。
【００３０】
すなわち、実施形態２において、インサート金具８は、図示のように、横に細長い板状部の前後片に１０本のケーブル４を等間隔で１本ずつ挿通して保持するケーブル保持溝８１を形成して、横に細長い板状部の左右端に湾曲変形させた係止片８２を一体に備えたものである。このようなインサート金具８が上下一対用意される。
【００３１】
図８に示すように、１０本のケーブル４を下側のインサート金具８のケーブル保持溝８１にそれぞれ保持して並べてから、上側からもう１つのインサート金具８のケーブル保持溝８１にケーブル４をそれぞれ保持させるとともに、両端の係止片８２どうしをその湾曲変形によるばね性を活かして互いに嵌め合わせて、ケーブル４を上下のケーブル保持溝８１間に押えながら対をなすインサート金具８どうしを嵌合する。
【００３２】
以上の上下一対のインサート金具８を、図示しない成型金型にセットしてラバーを注入充填することでパッキン５を成型する。
【００３３】
以上の１０本のケーブル４のパッキン５を、第一の筐体１及び第二の筐体２の下ケース１１・２１の挿通孔１４・２４に対し外側からそれぞれ圧入する。
【００３４】
以上、実施形態２の防水構造によれば、１０本のケーブル４を上下から嵌合する２つのインサート金具８のケーブル保持溝８１で保持するようにしたことで、前述した実施懈怠１のようなカシメ付けを必要とするインサート金具６の場合と比較して、組み立てが容易になる。
【００３５】
そして、上下から嵌合する２つのインサート金具８からなる固定部の周りに一様なラバー厚みによるパッキン５が形成されることから、挿通孔１４・２４にパッキン５を圧入した際の圧縮率を安定させやすくして、安定した防水構造が得られる。
【００３６】
（実施形態３）
図９は筐体２内部とケーブル４のパッキン５及びコネクタ４２として実施形態３を示したもので、９は環状のパッキンであり、図１０はそのケーブル４のパッキン５及びコネクタ４２を拡大して示したものである。
【００３７】
すなわち、実施形態３は、図示のように、第二の筐体２の下ケース２１のパッキン溝２３にセットされる環状のパッキン９を、１０本のケーブル４のパッキン５と一体成型したものである。
【００３８】
なお、環状のパッキン９は、図示のように、ケーブル４のパッキン５の上下に分かれて形成されるため、ケーブル４のパッキン５が圧入される挿通孔２４は、下ケース２１及び上ケース２２の合わせ面にパッキン溝２３を含んで形成されている。
【００３９】
以上、実施形態３の携帯電話によれば、下ケース２１及び上ケース２２の間を防水するために周縁部に配される環状のパッキン９と、１０本のケーブル４の引き出し部のパッキン５とを一体化したことにより、機密性が高く、組立性、スペース効率に優れる。
【００４０】
ここで、第一の筐体１の下ケース１１のパッキン溝１３にセットされる環状のパッキン７についても、１０本のケーブル４のパッキン５と一体成型してもよい。
【００４１】
（変形例）
なお、以上の実施形態においては、携帯電話としたが、本発明はこれに限定されるものではなく、カメラ、ＰＤＡ、ノートパソコン、ウェアラブルパソコン、電卓、電子辞書、その他の端末装置すべてに用いることができる。
また、実施形態では、２軸ヒンジとしたが、折り畳みのみの１軸ヒンジであってもよい。
さらに、ケーブルをヒンジ部品の中空軸等に挿通した状態でインサート成型してパッキンを得るようにしてもよい。
また、ケーブルの本数、パッキン及び固定部の形状等も任意であり、その他、具体的な細部構造等についても適宜に変更可能であることは勿論である。
【図面の簡単な説明】
【００４２】
【図１】本発明を適用した端末装置の一実施形態の構成を示すもので、折り畳み可能な携帯電話を開いた状態を示した斜視図である。
【図２】図１の筐体内部等のケーブル配線を示した図である。
【図３】図１の第一の筐体のケーブル引き出し部で破断した拡大図である。
【図４】図３のケーブル引き出し部をさらに拡大して示した図である。
【図５】図２のケーブルのパッキン部及びコネクタ部の拡大図である。
【図６】図５のパッキン部の内部構造をさらに拡大して示した図である。
【図７】図５のパッキン部の内部構造を示すもので、実施形態２を示した斜視図である。
【図８】図７の金具を分解して示した図である。
【図９】筐体内部とケーブルのパッキン部及びコネクタ部を示すもので、実施形態３を示した分解斜視図である。
【図１０】図９のケーブルのパッキン部及びコネクタ部の拡大図である。
【符号の説明】
【００４３】
１  第一の筐体
１１  下ケース
１２  上ケース
１３  パッキン溝
１４  挿通孔
２  第二の筐体
２１  下ケース
２２  上ケース
２３  パッキン溝
２４  挿通孔
３  ヒンジ部
３０  ２軸ヒンジユニット
３１  ヒンジ軸
３２  回転支軸
３３・３４  ブラケット
４  ケーブル
４１・４２  コネクタ
５  パッキン
５１  シールリップ
６  インサート金具
６１  ケーブル保持部
７  環状のパッキン
８  インサート金具
８１  ケーブル保持溝
８２  係止片
９  環状のパッキン
【図１】
2010114126.tif 000003
【図２】
2010114126.tif 000004
【図３】
2010114126.tif 000005
【図４】
2010114126.tif 000006
【図５】
2010114126.tif 000007
【図６】
2010114126.tif 000008
【図７】
2010114126.tif 000009
【図８】
2010114126.tif 000010
【図９】
2010114126.tif 000011
【図１０】
2010114126.tif 000012